(57)【要約】【課題】メモリ内にストアされているデータを他のエリアにストアされているデータ上に上書きコピーした場合、後にこのコピー先のデータを検索して再編集するときに、このファイル名が示す名称と本体データの実態が懸け離れていることがあるので、この本体データの内容を表示してみないと実態が確認できず、編集作業時に誤解や混乱を来たすという問題があった。【解決手段】コピー元の本体データを、コピー先の本体データ上に上書きコピーするときに、コピー元のファイル名をコピー先のファイル名として自動的に更新することができるようにしたので、この新たなファイル名と本体データの実態を一致させることができる。【選択図】      図５
2004303142.tif 000002
【特許請求の範囲】
【請求項１】
編集対象となるデータ本体を記憶するエリア及びファイル名を記憶するエリアを有するファイルを複数個記憶する記憶手段と、
この複数のファイルの中から、２個のファイルを指定するファイル指定手段と、
このファイル指定手段により指定された２個のファイルのうち、一方のファイルのデータ本体を記憶するエリアに記憶されているデータ本体を他方のファイルのデータ本体を記憶するエリアに上書きするデータコピー手段と、
このデータコピー手段によりデータ本体を上書きされることに対応して、前記他方のファイルのファイル名を記憶するエリアに記憶されたファイル名を、前記一方のファイルのファイル名を記憶されたファイル名に変更するファイル名変更手段と、
を有することを特徴とするファイル編集装置。
【請求項２】
前記ファイル編集装置は、更に、前記記憶手段に編集エリアを設けると共に、記憶されている複数個のファイルの中から１個のファイルを指定する編集ファイル指定手段と、この編集ファイル指定手段により指定されたファイルのデータ本体を編集エリアにコピーする編集データコピー手段と、この編集エリアに記憶されているデータ本体を編集する編集手段と、この編集手段により編集されたデータ本体に対応する新たなファイル名を作成するファイル名作成手段と、前記記憶手段にデータ本体及びファイル名を記憶するエリアを新たに確保して、当該各エリアに前記編集されたデータ本体が作成された新たなファイル名を記憶することにより、新たなファイルを作成して保存する保存手段と、を有する請求項１記載のファイル編集装置。
【請求項３】
編集対象となるデータ本体を記憶するエリア及びファイル名を記憶するエリアを有するファイルを複数個記憶する記憶手段より、この複数のファイルの中から、２個のファイルを指定するファイル指定ステップと、
この指定された２個のファイルのうち、一方のファイルのデータ本体を記憶するエリアに記憶されているデータ本体を他方のファイルのデータ本体を記憶するエリアに上書きするデータコピーステップと、
このデータコピーによりデータ本体を上書きされることに対応して、前記他方のファイルのファイル名を記憶するエリアに記憶されたファイル名を、前記一方のファイルのファイル名を記憶されたファイル名に変更するファイル名変更手段と、
を有することを特徴とするファイル編集処理プログラム。
【発明の詳細な説明】
【０００１】
【発明の属する技術分野】
この発明は、ファイル編集装置及びファイル編集処理プログラムに関する。
【０００２】
【従来の技術】
近年パソコン、デジタルカメラ、電子楽器等においては、外部から取り込んだデータ、あるいは内部で作成されたデータ等をファイルとしてメモリに多数記憶することができる。
これらのファイルのデータを後で読み出して編集したり、或いは、このメモリに記憶されている既存のファイル中のデータを新たなファイルとして編集してから、この編集したデータに新しいファイル名を付与して、既存データと異なる別のファイルとして記憶するなど、データの有効活用を図ると共にデータの保管管理に工夫が凝らされている（特許文献１参照）。
【０００３】
【特許文献１】
特開２００２−５５８６１号（第１頁−第１６頁、図６）
【０００４】
【発明が解決しようとする課題】
これら従来の装置は、メモリに記憶されている既存のファイル群の中から所望のファイルのデータ本体を編集してからこれを新たなファイルとして記憶させる場合に、この新たなファイルに付与されるファイル名は編集元のファイルのファイル名と異なる名称を付加するよう案内されるか、或いは、旧ファイル名がそのまま継続されてしまう、ということがある。
これらのファイルに付与されているファイル名には、その名称に使用している文字・数字配列から本体データの形態を示す重要な情報が含まれていることがある。
ところが、あるファイル内のデータ本体を別のファイルのデータ本体に上書きし、この上書きされたファイル名をそのままにして記憶すると、後にこの上書きされたファイルを検索して編集するときに、ファイル名の名称と本体データの実態とが懸け離れていることがあるので、検索に手間取ったり、編集作業時に誤解や混乱を来たすという問題が生ずることがある。
【０００５】
本発明は、上述の如き従来の課題を解決するためになされたものであり、その目的は、あるファイル本体のデータを別のファイルのデータに上書きコピーされたとしても、この上書きされたデータ本体の実態とこのファイル名とが一致するようにすることである。
【０００６】
【課題を解決するための手段】
この発明の解決の手段は以下のとおりである。
上記目的を達成するために、請求項１に係る発明においては、編集対象となるデータ本体を記憶するエリア及びファイル名を記憶するエリアを有するファイルを複数個記憶する記憶手段と、この複数のファイルの中から、２個のファイルを指定するファイル指定手段と、を有している。
そして、このファイル指定手段により指定された２個のファイルのうち、一方のファイルのデータ本体を記憶するエリアに記憶されているデータ本体を他方のファイルのデータ本体を記憶するエリアに上書きするデータコピー手段と、このデータコピー手段によりデータ本体を上書きされることに対応して、前記他方のファイルのファイル名を記憶するエリアに記憶されたファイル名を、前記一方のファイルのファイル名を記憶されたファイル名に変更するファイル名変更手段と、
を有している。
【０００７】
尚、前記ファイル編集装置は、更に、前記記憶手段に編集エリアを設けると共に、記憶されている複数個のファイルの中から１個のファイルを指定する編集ファイル指定手段と、この編集ファイル指定手段により指定されたファイルのデータ本体を編集エリアにコピーするコピー手段と、この編集エリアに記憶されているデータ本体を編集する編集手段と、この編集手段により編集されたデータ本体に対応する新たなファイル名を作成するファイル名作成手段と、前記記憶手段にデータ本体及びファイル名を記憶するエリアを新たに確保して、当該各エリアに前記編集されたデータ本体が作成された新たなファイル名を記憶することにより、新たなファイルを作成して保存する保存手段と、を有するようにしてもよい。
【０００８】
本発明は、請求項３に記載のように、上記各手段の動作手順をプログラム化し、コンピュータに実行させることにより実施できる。その際、コンピュータプログラムはハードディスク等のディスク型記録媒体、半導体メモリやカード型メモリ等の各種メモリ、或いは通信ネットワーク等の各種プログラム記録媒体を通じてコンピュータに供給することができる。
【０００９】
本発明は、上記構成を具備することにより、コピー元となるファイルの本体データを別のファイルの本体データ上に上書きコピーしたとしても、この上書きコピーされた本体データの実態は、このとき一緒にコピーされたファイル名の内容と一致するのでファイルの検索が容易となり、編集処理の勘違いやミスを防止することができる。
【００１０】
【発明の実施の形態】
図１は、本発明の実施形態に係るファイル編集装置の構成例を示したブロック図である。
本実施形態において、ファイル編集装置は、本体データとして音色データに相当するスペクトルデータを有するファイル編集装置を例にあげている。
ＣＰＵ１０１は、バスライン１０９を介してこのファイル編集装置を構成する後述の各回路、装置に接続され、各種データを授受して全体の機能を統制する。
【００１１】
スイッチ群１０２は、複数のスイッチから成り、電源をオンオフする電源スイッチ、各種文字・数字・記号を入力するキー、その他各種機能を設定するスイッチ、マウス等が設けられている。
このうち、各種文字・数字・記号を入力するキーは各種データの入力、チャンネル番号の入力、或いは、ファイル名の入力等に用いられる。
また、マウスは、後述する表示部１０６の画面上に表示される各種入力表示エリアに対してクリック操作に用いる。
【００１２】
ＭＩＤＩインターフェ−ス１０３は、鍵盤などの演奏操作部を備えたＭＩＤＩ（Ｍｕｓｉｃａｌ  Ｉｎｓｔｒｕｍｅｎｔ  Ｄｉｇｉｔａｌ  Ｉｎｔｅｒｆａｃｅ）入力装置に接続され、これによって演奏操作により得られたデータを受けてＭＩＤＩデータを生成し、これをバスライン１０９を介してＣＰＵ１０１に送出する。
【００１３】
ＲＯＭ１０４は、ＣＰＵ１０１において、定められた手順に従い各種機能の処理を実行するためのプログラムを記憶している。
【００１４】
ＲＡＭ１０５は、ＣＰＵ１０１がプログラムの処理を実行する際に、データ編集時に一時的に各種データをストアするワークエリア、本体データであるファイルデータとファイル名とから成るファイル群、複数のチャンネルを有する音源回路に夫々データを供給するためのチャンネルエリアから成る。
【００１５】
表示部１０６は、例えば、ブラウン管表示装置或いは液晶表示パネル等から成り、この表示画面については後述する。
【００１６】
音源１０７は、複数のチャンネルを有し、ＣＰＵ１０１からの楽音生成指示に基づいて、楽音信号を生成するものである。
発音回路１０８は、この音源１０７によって生成された楽音信号を増幅してスピーカーより発音するものである。
【００１７】
図２は、ＲＡＭ１０５内のデータ配置構成を示す。
ＲＡＭ１０５内には、「保存エリア」、「ＥＤＩＴ  ＣＨ」、「ＦＲＯＭ  ＣＨ」、「ＴＯ  ＣＨ」、「エディットエリア」、「ＥＤＩＴ  ＮＡＭＥ」、「ＳＡＶＥ  ＮＡＭＥ」の各エリアが設けられている。
先ず、「保存エリア」は、音源１０７内に設けられている８個のチャンネルに付与された番号夫々に対応したチャンネルエリア（１ＣＨ）〜（８ＣＨ）を有している。
【００１８】
夫々のチャンネルエリアにはファイル本体データとファイル名とをストアするエリアが設けられている。
例えば、「１ＣＨ」と表記されたエリアは、チャンネル番号の「１」を示すエリアであり、ここには「ファイル名（１ＣＨ）とファイルデータ（１ＣＨ）」のデータがストアされる。
そして、発音時になるとＣＰＵ１０１の指示に基づいて、このファイルデータ（１ＣＨ）は、音源１０７に設けられたチャンネル番号「１」に対応するチャンネルに出力される。
【００１９】
次に、「ＥＤＩＴ  ＣＨ」は、前述の「保存エリア」内の何れかのチャンネルエリア内にあるファイルデータが指定されて、「エディットエリア」にコピーされた場合、この指定されたチャンネル番号がストアされるエリアである。
【００２０】
次に、「ＦＲＯＭ  ＣＨ」は、前述の「保存エリア」内の何れかのチャンネルエリア内にあるファイルデータを他のチャンネルエリアにコピーする際、指定されたコピー元のチャンネル番号をストアするエリアである。
【００２１】
次に、「ＴＯ  ＣＨ」は、ファイルデータのコピー先のエリアとして指定されたチャンネル番号をストアするエリアである。
「エディットエリア」は、前述の「ＥＤＩＴ  ＣＨ」に対応するファイルデータを編集するための一時保管用のエリアである。
【００２２】
「ＥＤＩＴ  ＮＡＭＥ」は、ファイルデータのコピー元のファイル名をストアするエリアである。
「ＳＡＶＥ  ＮＡＭＥ」は、ファイルデータのコピー先のファイル名をストアするエリアである。
【００２３】
図３〜図５は、本発明のメインフローチャートを示す。
図３において、先ず、スイッチ群１０２に設けられた電源スイッチがオンされると、ＣＰＵ１０１は、ＲＡＭ１０５内の各ワークメモリをリセットする（Ｓ３０１）。
【００２４】
次に、表示部１０６の表示画面上にファイルデータを編集するための枠画面を表示する（Ｓ３０２）。
枠画面は、図６に示されるように、先ず、表示部１０６の表示画面上６０１にスペクトル表示するための縦横の基準線６０２と、３個の表示エリア６０３、６０４、６０６と、３個のアイコン６０５、６０７、６０８とが表示される。これらの表示エリアの詳細については後述する。
【００２５】
次に、スイッチ群１０２内のエディットチャンネルを指定する操作子の操作状態（Ｓ３０３）、「読み出し」入力表示エリア６０７の操作状態（Ｓ３０６）、スイッチ群１０２内のエディット操作子の操作状態（Ｓ３１１）、編集画面６０１に表示された「保存」アイコン６０８の操作状態（図４中Ｓ４０１）、及び、スイッチ群１０２内のコピー元チャンネル番号を入力する操作子の操作状態（図５中Ｓ５０１）、を順次判定していく。
【００２６】
先ず、編集処理について説明する。
エディットチャンネルを指定する操作子によってチャンネル番号が入力されると、この入力されたチャンネル番号をＲＡＭ１０５内の「ＥＤＩＴ  ＣＨ」のエリアにストアする（Ｓ３０４）。
すると、次に、表示部１０６に表示されていた編集枠画面６０１が図７に示す編集画面７０１に切り替わる。
【００２７】
ここで、図７を参照して編集画面７０１について説明する。
入力表示エリア６０３は、ＲＡＭ１０５の「保存エリア」内にストアされている８チャンネル分のファイルデータの何れかを、他のチャンネルエリアにコピーするときに、コピー元となるチャンネル番号を入力してこれを表示するエリアである。
ここで入力されたチャンネル番号は「ＦＲＯＭ  ＣＨ」のエリアにストアされる。
【００２８】
入力表示エリア６０４は、コピー先となるチャンネル番号を入力して表示するエリアである。
ここで指定されたコピー先となるチャンネル番号は「ＴＯ  ＣＨ」のエリアにストアされる。
【００２９】
アイコン６０５は、コピー元として指定したチャンネルエリア内のファイルデータを、コピー先として指定されたチャンネルエリアに上書きコピーを実行指示する「コピー」アイコンスイッチである。
【００３０】
入力表示エリア６０６は、「保存エリア」内のチャンネルエリア「１ＣＨ」〜「８ＣＨ」内にストアされているファイルデータの内で、所望のファイルデータを編集するときに、このチャンネル番号を入力して表示するエリアである。
【００３１】
次に、アイコン６０７は、入力表示エリア６０６で指定されたチャンネルエリアにストアされているファイルデータを「読み出し」指示して、編集画面７０１上にスペクトルをグラフィック表示させるアイコンスイッチである。
この「読み出し」アイコン６０７をタッチ操作すると、エディット指定されたチャンネルエリア内のファイルデータが「エディットエリア」に読み出される。
そして、編集画面７０１上にここで読み出されたチャンネルエリア内のファイルデータのスペクトルがグラフィック表示される。
【００３２】
ユーザーは、この編集画面７０１上に表示されたスペクトルのグラフィック表示の特性を観察するとともに、当該発音される楽音を聞きながら、スイッチ群１０２に設けられた操作子を操作して、当該楽音の音色が所望の音色となるよう編集作業を行う。
【００３３】
アイコン６０８は、この編集されたファイルデータを「保存」指示するときに用いるアイコンスイッチである。
この「保存」アイコン６０８がオンされると、この編集画面７０１を消去して、あるいはこの編集画面７０１上に重ねて図８に示すファイル保存画面８０１が表示される。
【００３４】
ここで、再び、編集処理の説明に戻る。
編集表示画面７０１が表示された後、図３のＳ３０５の処理に進み、「ＥＤＩＴ  ＣＨ」のエリアにストアされたエディットチャンネル番号がエディットチャンネルの入力表示エリア６０６に表示され、再び、Ｓ３０３の処理に戻る。
【００３５】
一方、Ｓ３０３の処理でファイルデータをエディットするチャンネル番号が入力されていなければ、「読み出し」アイコン６０７がオンされたか否かを判定する（Ｓ３０６）。
ここで、「読み出し」アイコン６０７がオンされていれば、エディットチャンネルのエリア「ＥＤＩＴ  ＣＨ」にチャンネル番号がストアされているか否かを判定する（Ｓ３０７）。
【００３６】
ここで、「ＥＤＩＴ  ＣＨ」にチャンネル番号がストアされていなければ、Ｓ３０３の処理に戻るが、「ＥＤＩＴ  ＣＨ」にチャンネル番号がストアされていれば、「ＥＤＩＴ  ＣＨ」にストアされているチャンネル番号に対応するファイルデータを「保存エリア」から読み出して、「エディットエリア」にストアする（Ｓ３０８）。
そして、「ＥＤＩＴ  ＣＨ」にストアされているチャンネル番号に対応するファイル名を読み出して、「ＥＤＩＴ  ＮＡＭＥ」にストアする（Ｓ３０９）。
【００３７】
次に、「エディットエリア」にストアされたファイルデータの内容を表示部１０６に送出して、編集画面７０１上にスペクトルのグラフィックを表示してから（Ｓ３１０）、Ｓ３０３の処理に戻る。
一方、Ｓ３０６の処理で「読み出し」アイコン６０７がオンになっていなければ、スイッチ群１０２内のファイルデータを編集するための操作子が操作されているか否かを判定する（Ｓ３１１）。
【００３８】
ここで、編集用の操作子が操作されていれば、次に、「エディットエリア」にファイルデータがストアされているか否かを判定する（Ｓ３１２）。
ここで「エディットエリア」にファイルデータがストアされていなければ、Ｓ３０３の処理に戻るが、「エディットエリア」にファイルデータがストアされていれば、スイッチ群１０２内の編集用操作子の操作に基づいて、「エディットエリア」内のファイルデータの内容を変更してから（Ｓ３１３）、Ｓ３１０の処理に進む。
【００３９】
一方、Ｓ３１１の処理で編集用操作子が操作されていなければ、「保存」アイコン６０８がオンされたか否かを判定する（図４Ｓ４０１）。
ここで、「保存」アイコン６０８がオンされていないと、図５のＳ５０１の処理に移行するが、この「保存」アイコン６０８がオンされると、次に、「エディットエリア」にファイルデータがストアされているか否かを判定する（Ｓ４０２）
【００４０】
このとき、「エディットエリア」にファイルデータがストアされていなければ、再び、図３のＳ３０３の処理に戻るが、「エディットエリア」にファイルデータがストアされていれば、編集画面７０１はファイル保存枠の表示画面に切り替わる。
そして、「エディットエリア」のファイルデータに対応して「ＥＤＩＴ  ＮＡＭＥ」にストアされているファイル名を、「ＳＡＶＥ  ＮＡＭＥ」のエリアにストアする（Ｓ４０４）。
【００４１】
それから、ＣＰＵ１０１は、表示部１０６に対してファイル保存枠の画面を図８に示すファイル保存表示画面８０１を表示するよう指示する。
ここで、図８のファイル保存画面８０１について説明する。
このファイル保存画面８０１内の表示枠内８０２には、ファイルデータのエディットを対象とするチャンネル番号のファイル名を「保存エリア」から読み出して表示する入力表示エリア８０３と、この入力表示されたファイル名を当該チャンネル番号に対応する「保存エリア」に上書きコピーの実行を指示する「ファイル保存」アイコン８０５と、この入力表示されたファイル名を登録しないで当ファイルの保存を中止するときに用いる「キャンセル」アイコン８０４と、が夫々表示される。
【００４２】
このファイル名表示エリア８０３に表示されたファイル名は、「ファイル保存」アイコン８０５がオンされる前であれば、ファイルデータの編集の状況に応じて、マウス、操作子等を用いて名称を変更することができる。
【００４３】
再び、図４のファイル保存処理に戻る。
「ＥＤＩＴ  ＮＡＭＥ」にストアされているファイル名を、「ＳＡＶＥ  ＮＡＭＥ」のエリアにストアするとこの「ＳＡＶＥ  ＮＡＭＥ」にストアされたファイル名をファイル保存画面８０１上のファイル名表示エリア８０３に表示する（Ｓ４０５）。
このファイル名表示エリア８０３に表示されたファイル名に対して、スイッチ群１０２内の操作子の操作で、このファイル名が変更されたか否かを判定する（Ｓ４０６）。
ここで、ファイル名が変更されると、この変更されたファイル名を「ＳＡＶＥＮＡＭＥ」のエリアにストアしてから（Ｓ４０７）、またＳ４０５の処理に戻る。
【００４４】
一方、Ｓ４０６の処理でファイル名が変更されていなければ、次に、ファイル保存画面８０１上の「ファイル保存」アイコン８０５がオンされたか否かを判定する（Ｓ４０８）。
ここで、「ファイル保存」アイコン８０５がオンされると、「エディットエリア」にストアされているファイルデータを「ＥＤＩＴ  ＣＨ」にストアされているチャンネル番号に対応する「保存エリア」に上書きコピーする（Ｓ４０９）。
【００４５】
次に、「ＳＡＶＥ  ＮＡＭＥ」にストアされているファイル名を、「ＥＤＩＴＣＨ」にストアされているチャンネル番号に対応するチャンネルエリア内のファイル名に上書きコピーする（Ｓ４１０）。
そして、「ＳＡＶＥ  ＮＡＭＥ」にストアされているファイル名を「ＥＤＩＴＮＡＭＥ」のエリアにストアする（Ｓ４１１）。
【００４６】
それから、図８に示すファイル保存の画面表示８０１を消去して、また図７に示す編集画面７０１に切り換えてから（Ｓ４１２）、再び、図３のＳ３０３の処理に戻る。
一方、Ｓ４０８の処理で「ファイル保存」アイコン８０５がオンされていなければ、次に、「キャンセル」アイコン８０４がオンされたか否かを判定する（Ｓ４１３）。
この「キャンセル」アイコン８０４がオンされると、Ｓ４１２の処理に進むが「キャンセル」アイコン８０４がオンされていなければ、再び、Ｓ４０６の処理に戻る。
【００４７】
このように、図３、図４に示す処理では、指定されたチャンネルエリアにストアされているファイルデータの編集作業を経た後、このファイルデータを当該チャンネルエリアに上書きしている。
一方、このチャンネルエリアにストアされるファイル名は、旧名称のまま変更しないで継続するか、新たに別の名称に更新するか、の最終判断はファイルデータの編集内容を勘案してユーザー自身の意思に委ねられている。
【００４８】
次に、「保存エリア」内の各チャンネルメモリ相互間におけるファイルデータ、及びファイル名のコピー機能について図５を参照して説明する。
図５中のＳ５０１の処理において、マウス、操作子等によりコピー元チャンネル番号が入力されると、このチャンネル番号をコピー元チャンネル番号のエリア「ＦＲＯＭ  ＣＨ」にストアする（Ｓ５０２）。
そして、編集画面７０１上の入力表示エリア６０３に「ＦＲＯＭ  ＣＨ」にストアされているチャンネル番号を読み出して表示してから（Ｓ５０３）、再び、図３Ｓ３０３の処理に戻る。
【００４９】
一方、Ｓ５０１の処理でコピー元チャンネル番号の入力が行われなければ、次に、入力表示エリア６０４にコピー先チャンネル番号が入力されたか否かを判定する（Ｓ５０４）。
ここで、コピー先チャンネル番号が入力されると、このチャンネル番号をコピー先チャンネル番号のエリア「ＴＯ  ＣＨ」にストアする（Ｓ５０５）。
【００５０】
そして、入力表示エリア６０４に「ＴＯ  ＣＨ」にストアされているチャンネル番号を表示してから（Ｓ５０６）、再び、図３Ｓ３０３の処理に戻る。
一方、Ｓ５０４の処理でコピー先チャンネル番号が入力されていなければ、表示画面６０１上の「コピー」アイコン６０５がオンされたか否かを判定する（Ｓ５０７）。
【００５１】
ここで、「コピー」アイコン６０５がオンされると、コピー元チャンネル番号のエリア「ＦＲＯＭ  ＣＨ」とコピー先チャンネル番号のエリア「ＴＯ  ＣＨ」に夫々チャンネル番号がストアされているか否かを判定する（Ｓ５０８）。
ここで、「ＦＲＯＭ  ＣＨ」、「ＴＯ  ＣＨ」の夫々のエリアにチャンネル番号がストアされていれば、「ＦＲＯＭ  ＣＨ」にストアされているチャンネル番号に対応するファイルデータを「保存エリア」から読み出して、「ＴＯ  ＣＨ」にストアされているチャンネル番号に対応する「保存エリア」内のファイルデータ上に上書きコピーする（Ｓ５０９）。
一方、Ｓ５０７の処理でアイコン６０５がオンされていないとき、或いは、Ｓ５０８の処理で「ＦＲＯＭ  ＣＨ」と「ＴＯ  ＣＨ」の各エリアにチャンネル番号がストアされていなければ、再び、図３Ｓ３０３の処理に戻る。
【００５２】
次に、「ＦＲＯＭ  ＣＨ」にストアされているチャンネル番号に対応するエリアからファイル名を読み出して、「ＴＯ  ＣＨ」のエリアにストアされているチャンネル番号に対応するファイル名のエリアに上書きコピーする（Ｓ５１０）。
【００５３】
それから、コピー元のエリア「ＦＲＯＭ  ＣＨ」と、コピー先のエリア「ＴＯＣＨ」を夫々クリアする（Ｓ５１２）。
そして、入力表示エリア６０３と入力表示エリア６０４を夫々クリアしてから（Ｓ５１２）、再び、図３のＳ３０３の処理に戻る。
【００５４】
このように、チャンネル番号に対応するエリアのコピー元のファイルデータを、コピー先のチャンネル番号に対応するエリアに上書きするときに、コピー先のチャンネルエリアにストアされているファイル名は自動的にコピー元のファイル名に更新される。
【００５５】
上述のように、本発明の構成によれば、本体データであるファイルデータと、ファイル名と、から成る複数のファイルをストアする記憶装置の中から、ファイルデータがストアされているコピー元のエリアとコピー先のエリアを夫々指定して、コピー元のファイルデータをコピー先のファイルデータに上書きコピーすると、コピー先にストアされているファイル名をコピー元にストアされているファイル名に変更するようにしたので、コピーされたファイル名を確認するだけで、ファイルデータの実態を把握することができ、その後、当ファイルデータを再編集する場合に、編集すべきデータの抽出の間違いを防止できると共にファイル管理を安全確実なものにすることができる。
【００５６】
尚、本発明の構成では、チャンネル番号に対応するチャンネルエリア相互間で、コピー元のエリアからコピー先のエリアにファイルデータを上書きコピーすると、自動的にコピー先のファイル名をコピー元のファイル名に変更できるようにしたが、コピー元／コピー先のファイルデータはチャンネルエリア内に限定されず、夫々別々の何れのエリアにあってもよい。
【００５７】
また、編集されたファイルデータとこのファイル名をコピー元として、ＲＡＭ１０５内にコピー先のファイルエリアを新たに指定し、この指定されたエリアにファイルデータをコピーできるようにしてもよい。
このとき、コピー先のエリアにストアされるファイル名は、コピー元のファイル名がコピーされるようにしてもよいし、これとは異なる新たな名称に変更できるようにしてもよい。
【００５８】
また、この構成はチャンネルエリア内のファイルデータの出力先として音源／表示部に限定されることなく、文書・数値データ等、データの種類や用途に関わらず多目的に利用してもよい。
また、本発明の構成に、編集されたファイルデータの形態に応じて、自動的にファイル名を付与する構成を設けてもよい。
【００５９】
また、上記実施の形態で説明した動作手順をプログラム化し、コンピュータに実行させることにより実施できる。その際、コンピュータプログラムはハードディスク等のディスク型記録媒体、半導体メモリやカード型メモリ等の各種メモリ、或いは通信ネットワーク等の各種プログラム記録媒体を通じてコンピュータに供給することができる。
【００６０】
【発明の効果】
以上説明したように、本発明によればコピー元となるファイルの本体データを別のファイルの本体データ上に上書きコピーしたとしても、この上書きコピーされた本体データの実態は、このとき一緒にコピーされるファイル名の内容で容易に判断できるようになる。
【図面の簡単な説明】
【図１】本発明のファイル編集装置の構成を示すブロック図である。
【図２】図１に示したＲＡＭの記憶領域におけるデータ構成を示す。
【図３】本発明のファイル編集装置におけるメインフローチャート（その１）を示す。
【図４】本発明のファイル編集装置におけるメインフローチャート（その２）を示す。
【図５】本発明のファイル編集装置におけるメインフローチャート（その３）を示す。
【図６】図１に示した表示部における編集枠画面の表示を示す。
【図７】図１に示した表示部における編集画面の表示を示す。
【図８】図１に示した表示部におけるファイル保存画面の表示を示す。
【符号の説明】
１０１  ＣＰＵ
１０２  スイッチ群
１０３  ＭＩＤＩインターフェース
１０４  ＲＯＭ
１０５  ＲＡＭ
１０６  表示部
１０７  音源
１０８  発音回路
１０９  バスライン
【図１】
2004303142.tif 000003
【図２】
2004303142.tif 000004
【図３】
2004303142.tif 000005
【図４】
2004303142.tif 000006
【図５】
2004303142.tif 000007
【図６】
2004303142.tif 000008
【図７】
2004303142.tif 000009
【図８】
2004303142.tif 000010